(57)【特許請求の範囲】
【請求項１】
移動局からエンハンスト個別物理データチャネルを介して上りユーザデータを送信する上りユーザデータ送信方法であって、
無線回線制御局が、第１のセルに対してのみエンハンスト個別物理制御チャネルを送信している移動局が前記第１のセル及び第２のセルに対してエンハンスト個別物理制御チャネルを送信するソフトハンドオーバ状態への遷移を決定する工程Ａと、
前記無線回線制御局が、前記決定に基づいて、前記第２のセルによって送信される送達確認チャネルを復号するための送達確認チャネル復号情報を前記移動局に対して通知する工程Ｂと、
前記移動局が、前記送達確認チャネル復号情報を受信した後、前記第１のセル及び前記第２のセルに対して、前記エンハンスト個別物理データチャネルを送信する工程Ｃと、
前記移動局が、前記送達確認チャネル復号情報に基づいて、前記第２のセルから送信された送達確認チャネルを復号し、復号された送達確認チャネルに基づいて、前記第２のセルに対して上りユーザデータの再送処理を行う工程Ｄとを有しており、
前記工程Ｂにおいて、前記無線回線制御局は、前記ソフトハンドオーバ状態の設定を要求するソフトハンドオーバ設定要求に前記送達確認チャネル復号情報を含めて、前記送達確認チャネル復号情報を含む前記ソフトハンドオーバ設定要求を前記移動局に対して通知することを特徴とするユーザデータ送信方法。
【請求項２】
移動局からエンハンスト個別物理データチャネルを介して上りユーザデータを送信する上りユーザデータ送信を制御する無線回線制御局であって、
第１のセルに対してのみエンハンスト個別物理制御チャネルを送信している移動局が前記第１のセル及び第２のセルに対してエンハンスト個別物理制御チャネルを送信するソフトハンドオーバ状態への遷移を決定する決定部と、
前記決定に基づいて、前記第２のセルによって送信される送達確認チャネルを復号するための送達確認チャネル復号情報を前記移動局に対して通知する通知部とを具備しており、
前記通知部は、前記ソフトハンドオーバ状態の設定を要求するソフトハンドオーバ設定要求に前記送達確認チャネル復号情報を含めて、前記送達確認チャネル復号情報を含む前記ソフトハンドオーバ設定要求を前記移動局に対して通知することを特徴とする無線回線制御局。
【請求項３】
移動局からエンハンスト個別物理データチャネルを介して上りユーザデータを送信する上りユーザデータ送信方法であって、
無線回線制御局が、前記移動局のアクティブセットの更新を決定する工程Ａと、
前記無線回線制御局が、前記決定に基づいて、更新されたアクティブセットに含まれるセルによって送信される送達確認チャネルを復号するための送達確認チャネル復号情報を前記移動局に対して通知するＢ工程と、
前記移動局が、前記送達確認チャネル復号情報を受信した後、前記更新されたアクティブセットに含まれるセルに対して、前記エンハンスト個別物理データチャネルを送信する工程Ｃと、
前記移動局が、前記送達確認チャネル復号情報に基づいて、前記更新されたアクティブセットに含まれるセルから送信された送達確認チャネルを復号し、復号された送達確認チャネルに基づいて、前記更新されたアクティブセットに含まれるセルに対して、上りユーザデータの再送処理を行う工程Ｄとを有しており、
前記工程Ｂにおいて、前記無線回線制御局は、前記アクティブセットの更新を要求するアクティブセット更新要求に前記送達確認チャネル復号情報を含めて、前記送達確認チャネル復号情報を含む前記アクティブセット更新要求を前記移動局に対して通知することを特徴とするユーザデータ送信方法。
【請求項４】
移動局からエンハンスト個別物理データチャネルを介して上りユーザデータを送信する上りユーザデータ送信を制御する無線回線制御局であって、
前記移動局のアクティブセットの更新を決定する決定部と、
前記決定に基づいて、前記決定に基づいて、更新されたアクティブセットに含まれるセルによって送信される送達確認チャネルを復号するための送達確認チャネル復号情報を前記移動局に対して通知する通知部とを具備しており、
前記通知部は、前記アクティブセットの更新を要求するアクティブセット更新要求に前記送達確認チャネル復号情報を含めて、前記送達確認チャネル復号情報を含む前記アクティブセット更新要求を前記移動局に対して通知することを特徴とする無線回線制御局。
【発明の詳細な説明】
【技術分野】
【０００１】  本発明は、移動局からエンハンスト個別物理データチャネルを用いて送信するユーザデータの送信方法及び無線回線制御局に関する。
【背景技術】
【０００２】  従来の移動通信システムでは、無線回線制御局ＲＮＣが、移動局ＵＥと無線基地局ＮｏｄｅＢとの間の個別物理チャネルを設定する際に、当該無線基地局ＮｏｄｅＢの受信用ハードウエアリソース（以下、ハードウエアリソース）や、上り無線リソース（上り干渉量）や、当該移動局ＵＥの送信電力や、当該移動局ＵＥの送信処理性能や、上位のアプリケーションが必要とする伝送速度等を鑑みて、上りユーザデータの伝送速度を決定し、当該移動局ＵＥ及び当該無線基地局ＮｏｄｅＢのそれぞれに対して、レイヤ３（Ｒａｄｉｏ  Ｒｅｓｏｕｒｃｅ  Ｃｏｎｔｒｏｌ  ｌａｙｅｒ）のメッセージとして通知するように構成されている。【０００３】  ここで、無線回線制御局ＲＮＣは、無線基地局ＮｏｄｅＢの上位に存在し、無線基地局ＮｏｄｅＢ及び移動局ＵＥを制御する装置である。【０００４】  一方、データ通信では、音声通話やＴＶ通話の場合と比べて、トラフィックがバースト的に発生することが多く、本来は、高速に、上りユーザデータの伝送速度を変更できることが望ましい。【０００５】  しかしながら、図１４に示すように、従来の移動通信システムでは、無線回線制御局ＲＮＣが、通常、多くの無線基地局ＮｏｄｅＢを統括して制御しており、無線回線制御局ＲＮＣにおける処理負荷及び処理遅延が増加することが想定されることから、高速な（例えば、１〜１００ｍｓ程度の）上りユーザデータの伝送速度の変更制御を行うことは困難であるという問題点があった。【０００６】  或いは、従来の移動通信システムにおいて、高速な上りユーザデータの伝送速度の変更制御を行うことができたとしても、装置の実装コストやネットワークの運用コストが大幅に高くなるという問題点があった。【０００７】  そのため、従来の移動通信システムでは、数１００ｍｓから数ｓ秒オーダーで、上りユーザデータの伝送速度の変更制御を行うのが通例である。【０００８】  したがって、従来の移動通信システムでは、図１５（ａ）に示すように、バースト的なデータ送信を行う場合、図１５（ｂ）に示すように、低速、高遅延及び低伝送効率を許容してデータを送信するか、又は、図１５（ｃ）に示すように、高速通信用の無線リソースを確保して、空き時間の無線帯域リソースや無線基地局ＮｏｄｅＢにおけるハードウエアリソースが無駄になるのを許容してデータを送信することとなる。【０００９】  ただし、図１５において、縦軸の上り無線リソースには、上述の無線帯域リソース及びハードウエアリソースの両方が当てはめられるものとする。【００１０】  そこで、第３世代移動通信システムの国際標準化団体である「３ＧＰＰ」及び「３ＧＰＰ２」において、上り無線リソースを有効利用するために、無線基地局ＮｏｄｅＢと移動局ＵＥとの間のレイヤ１及びＭＡＣサブレイヤ（レイヤ２）における高速な上り無線リソース制御方法が検討されてきた。以下、かかる検討又は検討された機能を総称して「上り回線エンハンスメント（ＥＵＬ：Ｅｎｈａｎｃｅｄ  Ｕｐｌｉｎｋ）」と呼ぶこととする。【００１１】  ここで、図１６を用いて「上り回線エンハンスメント」におけるソフトハンドオーバー（以後、ＳＨＯと表す）機能について説明する。図１６では、無線基地局ＮｏｄｅＢ＃��に管理されるセル＃１０（以後、無線基地局ＮｏｄｅＢに管理されるセルをセルと示す）とのみ無線リンクが設定されている移動局ＵＥ（非ＳＨＯ状態）が、セル＃１０とセル＃２０との無線リンクが設定されている状態に遷移（ＳＨＯ状態に遷移）する場合を例に、かかる場合、セル＃１０を管理している無線基地局ＮｏｄｅＢは、送達確認チャネルＥ−ＨＩＣＨ（Ｅ−ＤＣＨ  ＨＡＲＱ  Ａｃｋｎｏｗｌｅｄｇｅｍｅｎｔ  Ｉｎｄｉｃａｔｏｒ  Ｃｈａｎｎｅｌ）を用いて、移動局ＵＥから送信された上りユーザデータに対して誤り検出（ＣＲＣチェック）行い、受信確認信号（以下、ＡＣＫ）又は受信否定信号（以下、ＮＡＣＫ）を応答するように構成されている。【００１２】  ここで、無線リンクには、移動局ＵＥとセルと間で確立されるＤＰＣＨ又はＥ−ＤＰＣＨが含まれる。よって、ＳＨＯ状態とは、移動局ＵＥが複数のセルと無線リンクを設定している状態である。【００１３】  また、ＡＣＫを受信した移動局ＵＥは、続きの上りユーザデータを送信し、ＮＡＣＫを受信した移動局ＵＥは、送信した上りユーザデータを再送する。このように、無線基地局ＮｏｄｅＢは、Ｅ−ＨＩＣＨを用いて、ハイブリッドＡＲＱ（以下、ＨＡＲＱ）による再送制御を行うように構成されている。【００１４】  ステップＳ２００１において、移動局ＵＥは、セル＃１０を介して、上りユーザデータを送信するためのデータコネクション（Ｅ−ＤＰＤＣＨ）を無線回線制御局ＲＮＣと確立している。【００１５】  ステップＳ２００２において、移動局ＵＥは、セル＃２０からの共通パイロット信号の受信電力が、所定の値以上になった場合、測定報告（Ｍｅａｓｕｒｅｍｅｎｔ  ｒｅｐｏｒｔ）を無線回線制御局ＲＮＣに送信する。【００１６】  ステップＳ２００３において、無線回線制御局ＲＮＣは、当該測定報告に基づいて、セル＃２０に対して、移動局ＵＥからの上り無線リンクの同期を要求する。【００１７】  具体的には、無線回線制御局ＲＮＣは、セル＃２０に対して、上り無線リンクにおけるチャネル構成を識別するチャネライゼーションコードと、移動局ＵＥを識別するスクランブリングコードとを含むＳＨＯ設定要求を送信する。【００１８】  ステップＳ２００４において、セル＃２０は、移動局ＵＥからの上り無線リンクの同期を確立する。【００１９】  具体的には、セル＃２０は、無線回線制御局ＲＮＣから受信したチャネライゼーションコードとスクランブリングコードとを用いて、上り無線リンクにおいて、移動局ＵＥから送信されているチャネルを検出することによって、移動局ＵＥからの上り無線リンクの同期を確立する。当該移動局ＵＥからの上り無線リンクの同期が確立された場合、セル＃２０は、ＳＨＯ設定応答を送信する。また、セル＃２０は、当該移動局ＵＥに対して、下り無線リンクにおいて、ＤＰＣＨ等の送信を開始する。【００２０】  ステップＳ２００５において、無線回線制御局ＲＮＣは、移動局ＵＥに対して、セル＃２０からの下り無線リンクの同期を要求する。【００２１】  具体的には、無線回線制御局ＲＮＣは、移動局ＵＥに対して、下り無線リンクにおけるチャネル構成を識別するチャネライゼーションコードと、セル＃２０を識別するスクランブリングコードと��含むＳＨＯ設定要求を送信する。【００２２】  ステップＳ２００６において、移動局ＵＥは、セル＃２０からの下り無線リンクの同期を確立する。【００２３】  具体的には、移動局ＵＥは、無線回線制御局ＲＮＣから受信したチャネライゼーションコードとスクランブリングコードとを用いて、下り無線リンクにおいて、セル＃２０からのＤＰＣＨ等を検出することによって、セル＃２０からの下り無線リンクの同期を確立する。当該セル＃２０からの下り無線リンクの同期が確立された場合、移動局ＵＥは、ＳＨＯ設定応答を送信する。【００２４】  ステップＳ２００７において、無線回線制御局ＲＮＣは、セル＃１０と、セル＃２０とに対して、移動局ＵＥが非ＳＨＯ状態からＳＨＯ状態に遷移したことを通知するＳＨＯ状態通知を送信する。【００２５】  なお、移動局ＵＥと無線基地局ＮｏｄｅＢとの間で確立された無線リンクの集合を「アクティブセット」と呼ぶ。ここで、アクティブセットは、無線リンクを確立している移動局ＵＥ及び無線基地局ＮｏｄｅＢの組合せが変わると更新される。例えば、移動局ＵＥが非ＳＨＯ状態からＳＨＯ状態に遷移すると、アクティブセットが更新される。
【非特許文献１】３ＧＰＰ  ＴＳＧ−ＲＡＮ  ＴＳ２５．３３１  ｖ６．５．０
【発明の開示】
【発明が解決しようとする課題】
【００２６】  ところで、上述したように、移動局ＵＥは、無線基地局ＮｏｄｅＢからＥ−ＨＩＣＨを通じて受信するＡＣＫ（又は、ＮＡＣＫ）を用いて、ＨＡＲＱによる再送制御を行っている。【００２７】  一方、非ＳＨＯ状態からＳＨＯ状態となった場合などにアクティブセットが更新されても、新たに接続された無線基地局ＮｏｄｅＢ（セル）で用いられるＥ−ＨＩＣＨを復号するための情報が移動局ＵＥに未だ通知されていない。【００２８】  従って、移動局ＵＥは、アクティブセットが更新されてからＥ−ＨＩＣＨを復号するための情報が移動局ＵＥに通知されるまで、新たに接続された無線基地局ＮｏｄｅＢ（セル）が送信するＡＣＫ（又は、ＮＡＣＫ）を復号できないため、新たに接続された無線基地局ＮｏｄｅＢ（セル）に送信した上りユーザデータを再送すべきか否かを判断することができなかった（ＨＡＲＱによる再送制御を行うことができなかった）。【００２９】  すなわち、アクティブセットが更新されてからＥ−ＨＩＣＨを復号するための情報が移動局ＵＥに通知されるまでの間では、新たに接続された無線基地局ＮｏｄｅＢ（セル）と移動局ＵＥとの間で上りユーザデータを高速に送信するために確立されたＥ−ＤＰＣＨが効果的に用いられていなかった。【００３０】    そこで、本発明は、上述した課題に鑑みてなされたものであり、アクティブセットが更新された場合であっても、ユーザデータを高速に送信することが可能なユーザデータの送信方法及び無線回線制御局を提供することを目的とする。
【課題を解決するための手段】
【００３１】  本発明の第１の特徴は、移動局からエンハンスト個別物理データチャネルを介して上りユーザデータを送信する上りユーザデータ送信方法であって、無線回線制御局が、第１のセルに対してのみエンハンスト個別物理制御チャネルを送信している移動局が、第１のセル及び第２のセルに対してエンハンスト個別物理制御チャネルを送信するように決定する工程と、無線回線制御局が、決定に基づいて第２のセルによって送信される上りユーザデータの送達確認チャネルを復号するための送達確認チャネル復号情報を移動局に対して通知する工程と、移動局が、送達確認チャネル復号情報を受信した後、第１のセル及び第２のセルに対して、エンハンスト個別物理データチャネルを送信する工程と、移動局が、送達確認チャネル復号情報に基づいて第２のセルから送信された上りユーザデータの送達確認チャネルを復号し、復号されたユーザデータの送達確認チャネルに基づいて第２のセルに対して上りユーザデータの再送処理を行う工程とを有することを要旨とする。【００３２】  本発明の第２の特徴は、移動局からエンハンスト個別物理データチャネルを介して上りユーザデータを送信する上りユーザデータ送信を制御する無線回線制御局であって、第１のセルに対してのみエンハンスト個別物理制御チャネルを送信している移動局が、第１のセル及び第２のセルに対してエンハンスト個別物理制御チャネルを送信するように決定する決定部と、決定に基づいて第２のセルによって送信される上りユーザデータの送達確認チャネルを復号するための送達確認チャネル復号情報を移動局に対して通知する通知部とを具備することを要旨とする。
【発明の効果】
【００３３】  以上説明したように、本発明によれば、アクティブセットが更新された場合であっても、ユーザデータを高速に送信することが可能なユーザデータの送信方法及び無線回線制御局を提供することができる。
【発明を実施するための最良の形態】
【００３４】（本発明の第１の実施形態に係る移動通信システムの構成）
図１乃至図１３を参照して、本発明の第１の実施形態に係る移動通信システムの構成について説明する。本実施形態に係る移動通信システムは、通信容量や通信品質等の通信性能を向上させることを目的として設計されている。また、本実施形態に係る移動通信システムは、第３世代移動通信システムである「Ｗ−ＣＤＭＡ」や「ＣＤＭＡ２０００」に適応可能である。【００３５】    図１の例では、無線基地局ＮｏｄｅＢ＃１に管理されるセル＃３から送信された個別物理チャネル（以下：ＤＰＣＨ）を受信した移動局ＵＥは、受信したＤＰＣＨの受信電力に基づいて、無線基地局ＮｏｄｅＢ＃１におけるＤＰＣＨの送信電力の増減を決定し、決定した増減結果をＴＰＣコマンド（例えばＵＰ／Ｋｅｅｐ／Ｄｏｗｎコマンド）によりセル＃３を管理する無線基地局ＮｏｄｅＢ＃１へ送信するように構成されている。【００３６】  また、セル＃３を管理する無線基地局ＮｏｄｅＢ＃１は、移動局ＵＥから送信されたＴＰＣコマンドを用いて、移動局ＵＥへ送信するＤＰＣＨの送信電力を制御するように構成されている。【００３７】  また、移動局ＵＥは、相対伝送速度制御（以下、Ｅ−ＲＧＣＨ）に基づいてセル＃３へ送信する上りユーザデータの伝送速度を制御するように構成されている。【００３８】  図２に、本実施形態に係る移動局ＵＥの概要構成例を示す。図２に示すように、移動局ＵＥは、バスインターフェース部１１と、呼処理制御部１２と、ベースバンド信号処理部１３と、送受信部１４と、送受信アンテナ１５とを具備する。また、移動局ＵＥは、アンプ部（図示せず）を具備するように構成されていてもよい。【００３９】  ただし、これらの構成は、必ずしもハードウエアとして独立して存在している必要はない。すなわち、各構成が、合体していてもよいし、ソフトウエアのプロセスによって構成されていてもよい。【００４０】  図３に、ベースバンド信号処理部１３の機能ブロックを示す。図３に示すように、ベースバンド信号処理部１３は、上位レイヤ機能部１３１と、ＲＬＣサブレイヤとして機能するＲＬＣ機能部１３２と、ＭＡＣ−ｄ機能部１３３と、ＭＡＣ−ｅ機能部１３４と、レイヤ１として機能するレイヤ１機能部１３５とを具備している。【００４１】  図４に示すように、ＲＬＣ機能部１３２は、上位レイヤ機能部１３１から受信したアプリケーションデータ（ＲＬＣ  ＳＤＵ）を、予め決められたＰＤＵサイズに分割し、順序整理処理や再送処理等に用いるＲＬＣヘッダを付与することによって、ＲＬＣ  ＰＤＵを生成して、ＭＡＣ−ｄ機能部１３３に渡す。【００４２】  ここで、ＲＬＣ機能部１３２とＭＡＣ−ｄ機能部１３３との間の橋渡しとして機能するパイプを「論理チャネル」とする。論理チャネルは、送受信するデータの内容によって分類され、通信を行う場合、１つのコネクションにおいて複数の論理チャネルを持つことが可能である。すなわち、複数の内容のデータ（例えば、制御データ及びユーザデータ等）を論理的に並列して送受信することができる。【００４３】  ＭＡＣ−ｄ機能部１３３は、論理チャネルを多重し、かかる多重に伴うＭＡＣ−ｄヘッダを付与することによって、ＭＡＣ−ｄ  ＰＤＵを生成する。なお、複数のＭＡＣ−ｄ  ＰＤＵは、ＭＡＣ−��フローとして、ＭＡＣ−ｄ機能部１３３からＭＡＣ−ｅ機能部１３４に転送されるものとする。【００４４】  ＭＡＣ−ｅ機能部１３４は、ＭＡＣ−ｄ機能部１３３からＭＡＣ−ｄフローとして受信した複数のＭＡＣ−ｄ  ＰＤＵをまとめてＭＡＣ−ｅヘッダを付与することによって、トランスポートブロックを生成し、生成したトランスポートブロックを、トランスポートチャネルを介してレイヤ１機能部１３５に渡す。【００４５】  また、ＭＡＣ−ｅ機能部１３４は、ＭＡＣ−ｄ機能部１３３の下位レイヤとして機能するものであって、ハイブリッドＡＲＱ（ＨＡＲＱ）による再送制御機能や、伝送速度制御機能を行うものである。【００４６】  具体的には、ＭＡＣ−ｅ機能部１３４は、図５に示すように、多重部１３４ａと、Ｅ−ＴＦＣ選択部１３４ｂと、ＨＡＲＱ処理部１３４ｃとを具備している。【００４７】  多重部１３４ａは、Ｅ−ＴＦＣ選択部１３４ｂから通知されたＥ−ＴＦＩ（Ｅｎｈａｎｃｅｄ−Ｔｒａｎｓｐｏｒｔ  Ｆｏｒｍａｔ  Ｉｎｄｉｃａｔｏｒ）に基づいて、ＭＡＣ−ｄ機能部１３３からＭＡＣ−ｄフローとして受信した上りユーザデータに対して多重化処理を行い、トランスポートチャネル（Ｅ−ＤＣＨ）を介して送信すべき上りユーザデータ（トランスポートブロック）を生成して、ＨＡＲＱ処理部１３４ｃに送信するように構成されている。【００４８】  以下、ＭＡＣ−ｄフローとして受信した上りユーザデータを「上りユーザデータ（ＭＡＣ−ｄフロー）」と示し、トランスポートチャネル（Ｅ−ＤＣＨ）を介して送信すべき上りユーザデータを「上りユーザデータ（Ｅ−ＤＣＨ）」と示す。【００４９】  ここで、Ｅ−ＴＦＩは、トランスポートチャネル（Ｅ−ＤＣＨ）上でＴＴＩごとにトランスポートブロックを供給するフォーマットであるトランスポートフォーマットの識別子であり、上述のＭＡＣ−ｅヘッダに付与されるものである。【００５０】  また、多重部１３４ａは、Ｅ−ＴＦＣ選択部１３４ｂから通知されたＥ−ＴＦＩに基づいて、上りユーザデータに適用される送信データブロックサイズを判断して、ＨＡＲＱ処理部１３４ｃに通知するように構成されている。【００５１】  なお、多重部１３４ａは、ＭＡＣ−ｄ機能部１３３からＭＡＣ−ｄフローとして上りユーザデータを受信した場合、当該上りユーザデータ用のトランスポートフォーマットを選択するためのＥ−ＴＦＣ選択情報を、Ｅ−ＴＦＣ選択部１３４ｂに通知するように構成されている。【００５２】  ここで、Ｅ−ＴＦＣ選択情報には、上りユーザデータのデータサイズや優先度クラス等が該当する。【００５３】  ＨＡＲＱ処理部１３４ｃは、Ｎチャネルのストップアンドウェイト（Ｎ−ＳＡＷ）プロトコルによって、レイヤ１機能部１３５から通知された上りユーザデータ用のＡＣＫ／ＮＡＣＫに基づいて、上りユーザデータ（Ｅ−ＤＣＨ）に係る再送制御処理を行うように構成されている。【００５４】  また、ＨＡＲＱ処理部１３４ｃは、多重部１３４ａから受信した上りユーザデータ（Ｅ−ＤＣＨ）、及び、ＨＡＲＱ処理に用いられるＨＡＲＱ情報（例えば、再送番号等）を、レイヤ１機能部１３５に送信するように構成されている。【００５５】  Ｅ−ＴＦＣ選択部１３４ｂは、上りユーザデ��タ（Ｅ−ＤＣＨ）に適用するトランスポートフォーマット（Ｅ−ＴＦ）を選択することによって、当該上りユーザデータの伝送速度を決定するように構成されている。【００５６】  具体的には、Ｅ−ＴＦＣ選択部１３４ｂは、無線基地局ＮｏｄｅＢから受信したスケジューリング情報（例えば、上りユーザデータの絶対伝送速度や相対伝送速度）や、ＭＡＣ−ｄ機能部１３３から渡されたＭＡＣ−ｄ  ＰＤＵのデータ量（上りユーザデータのデータサイズ）や、ＭＡＣ−ｅ機能部１３４において管理されている無線基地局ＮｏｄｅＢのハードウエアリソースの状態等に基づいて、上りユーザデータの送信実行又は送信停止を決定し、さらに、当該上りユーザデータの送信に適用されるトランスポートフォーマットを選択し、当該トランスポートフォーマットを識別するためのＥ−ＴＦＩをレイヤ１機能部１３５及び多重部１３４ａに通知するように構成されている。【００５７】  例えば、Ｅ−ＴＦＣ選択部１３４ｂは、上りユーザデータの伝送速度と、トランスポートフォーマットとを関連付けて記憶しており、レイヤ１機能部１３５からのスケジューリング情報に基づいて上りユーザデータの伝送速度を更新して、更新した上りユーザデータの伝送速度に関連付けられているトランスポートフォーマットを識別するためのＥ−ＴＦＩをレイヤ１機能部１３５及び多重部１３４ａに通知するように構成されている。【００５８】  ここで、Ｅ−ＴＦＣ選択部１３４ｂは、Ｅ−ＡＧＣＨを介して、スケジューリング情報として、移動局ＵＥのサービングセルからの上りユーザデータの絶対伝送速度を受信した場合、上りユーザデータの伝送速度を当該上りユーザデータの絶対伝送速度に変更する。【００５９】  ここで、Ｅ−ＴＦＣ選択部１３４ｂは、Ｅ−ＲＧＣＨを介して、スケジューリング情報として、移動局ＵＥのサービングセルからの上りユーザデータの相対伝送速度（ＵＰコマンド又はＤＯＷＮコマンド）を受信した場合、その時点における上りユーザデータの伝送速度を、上りユーザデータの相対伝送速度に基づいて予め決められている速度だけ増加又は減少させる。【００６０】  本明細書において、上りユーザデータの伝送速度は、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）を介して上りユーザデータを送信可能な速度であってもよいし、上りユーザデータを送信するための送信データブロックサイズ（ＴＢＳ）であってもよいし、Ｅ−ＤＰＤＣＨの送信電力であってもよいし、Ｅ−ＤＰＤＣＨとＤＰＣＣＨ（Ｄｅｄｉｃａｔｅｄ  Ｐｈｙｓｉｃａｌ  Ｃｏｎｔｒｏｌ  Ｃｈａｎｎｅｌ）との送信電力比（送信電力オフセット）であってもよい。【００６１】  図６に示すように、レイヤ１機能部１３５は、伝送チャネル符号化部１３５ａと、物理チャネルマッピング部１３５ｂと、ＤＰＤＣＨ送信部１３５ｃと、Ｅ−ＤＰＤＣＨ送信部１３５ｄと、Ｅ−ＤＰＣＣＨ送信部１３５ｅと、Ｅ−ＨＩＣＨ受信部１３５ｆと、Ｅ−ＲＧＣＨ受信部１３５ｇと、Ｅ−ＡＧＣＨ受信部１３５ｈと、ＤＰＣＨ送信部１３５ｉと、物理チャネルデマッピング部１３５ｊとを具備している。【００６２】  伝送チャネル符号化部１３５ａは、図７に示すように、ＦＥＣ（Ｆｏ��ｗａｒｄ  Ｅｒｒｏｒ  Ｃｏｌｌｅｃｔｉｏｎ）符号化部１３５ａ１と、伝送速度整合部１３５ａ２とを具備している。【００６３】  図７に示すように、ＦＥＣ符号化部１３５ａ１は、ＭＡＣ−ｅ機能部１３４から送信された上りユーザデータ（Ｅ−ＤＣＨ）、すなわち、トランスポートブロックに対して、誤り訂正符号化処理を施すように構成されている。【００６４】  また、図７に示すように、伝送速度整合部１３５ａ２は、誤り訂正符号化処理を施したトランスポートブロックに対して、物理チャネルの伝送容量に合わせるための「レペティション（ビット繰り返し）」や「パンクチャ（ビットの間引き）」を施すように構成されている。【００６５】  物理チャネルマッピング部１３５ｂは、伝送チャネル符号化部１３５ａからの上りユーザデータ（Ｅ−ＤＣＨ）をＥ−ＤＰＤＣＨにマッピングし、伝送チャネル符号化部１３５ａからのＥ−ＴＦＩ及びＨＡＲＱ情報をＥ−ＤＰＣＣＨにマッピングするように構成されている。【００６６】  ＤＰＤＣＨ送信部１３５ｃは、移動局ＵＥによって送信される上りユーザデータを送信するための上り個別データ物理チャネル（ＤＰＤＣＨ：Ｄｅｄｉｃａｔｅｄ  Ｐｈｙｓｉｃａｌ  Ｄａｔａ  Ｃｈａｎｎｅｌ）についての送信処理を行うように構成されている。【００６７】  かかる上りユーザデータには、セルから送信された共通パイロット信号の受信電力の測定報告（Ｍｅａｓｕｒｅｍｅｎｔ  ｒｅｐｏｒｔ）が含まれている。【００６８】  Ｅ−ＤＰＤＣＨ送信部１３５ｄは、上述のＥ−ＤＰＤＣＨについての送信処理を行うように構成されており、Ｅ−ＤＰＣＣＨ送信部１３５ｅは、上述のＥ−ＤＰＣＣＨについての送信処理を行うように構成されている。【００６９】  Ｅ−ＨＩＣＨ受信部１３５ｆは、セル（移動局ＵＥのサービングセル及び非サービングセル）から送信されたＥ−ＨＩＣＨ（Ｅ−ＤＣＨ  ＨＡＲＱ  Ａｃｋｎｏｗｌｅｄｇｅｍｅｎｔ  Ｉｎｄｉｃａｔｏｒ  Ｃｈａｎｎｅｌ）の受信処理を行うように構成されている。【００７０】  また、Ｅ−ＨＩＣＨ受信部１３５ｆは、上りユーザデータの送達確認チャネルを復号するための送達確認チャネル復号情報を受信するように構成されている。【００７１】  Ｅ−ＲＧＣＨ受信部１３５ｇは、セル（移動局ＵＥのサービングセル及び非サービングセル）から送信されたＥ−ＲＧＣＨの受信処理を行うように構成されている。【００７２】  Ｅ−ＡＧＣＨ受信部１３５ｈは、セル（移動局ＵＥのサービングセル）から送信されたＥ−ＡＧＣＨの受信処理を行うように構成されている。【００７３】  ＤＰＣＨ受信部１３５ｉは、セルから送信される下り個別物理チャネル（ＤＰＣＨ：Ｄｅｄｉｃａｔｅｄ  Ｐｈｙｓｉｃａｌ  Ｃｈａｎｎｅｌ）についての受信処理を行うように構成されている。
ここで、上述した個別物理チャネル（ＤＰＣＨ）には、個別物理物理データチャネル（ＤＰＤＣＨ：Ｄｅｄｉｃａｔｅｄ  Ｐｈｙｓｉｃａｌ  Ｄａｔａ  Ｃｈａｎｎｅｌ）と、個別物理物理制御チャネル（ＤＰＤＣＨ：Ｄｅｄｉｃａｔｅｄ  Ｐｈｙｓｉｃａｌ  Ｃｏｎｔｒｏｌ  Ｃｈａｎｎｅｌ）とが含まれている。【００７４】  また、物理チャネルデマッピング部１３５ｊは、Ｅ−ＲＧＣＨ受信部１３５ｇにより受信されたＥ−ＲＧＣＨに含まれるスケジューリング情報（上りユーザデータの相対伝送速度、すなわち、ＵＰコマンド／ＤＯＷＮコマンド）を抽出してＭＡＣ−ｅ機能部１３４に送信するように構成されている。【００７５】  また、物理チャネルデマッピング部１３５ｊは、Ｅ−ＡＧＣＨ受信部１３５ｈにより受信されたＥ−ＡＧＣＨに含まれるスケジューリング情報（上りユーザデータの絶対伝送速度）を抽出してＭＡＣ−ｅ機能部１３４に送信するように構成されている。【００７６】  図８は、本実施形態に係る無線基地局ＮｏｄｅＢの機能ブロック構成例である。図８に示すように、本実施形態に係る無線基地局ＮｏｄｅＢは、ＨＷＹインターフェース２１と、ベースバンド信号処理部２２と、送受信部２３と、アンプ部２４と、呼処理制御部２６と、送受信アンテナ２５とを具備する。【００７７】  ＨＷＹインターフェース２１は、当該無線基地局ＮｏｄｅＢの上位に位置する無線回線制御局ＲＮＣから、送信すべき下りユーザデータを受信して、ベースバンド信号処理部２２に入力するように構成されている。また、ＨＷＹインターフェース２１は、ベースバンド信号処理部２２からの上りユーザデータを、無線回線制御局ＲＮＣに送信するように構成されている。【００７８】  ベースバンド信号処理部２２は、下りユーザデータに対してチャネル符号化処理や拡散処理等のレイヤ１処理を行った後、かかる下りユーザデータを含むベースバンド信号を送受信部２３に送信するように構成されている。【００７９】  また、ベースバンド信号処理部２２は、ベースバンド信号処理部２２からのベースバンド信号に対して、逆拡散処理やＲＡＫＥ合成処理や、誤り訂正復号化処理等のレイヤ１処理を行った後、取得した上りユーザデータをＨＷＹインターフェース２１に送信するように構成されている。【００８０】  送受信部２３は、ベースバンド信号処理部２２からのベースバンド信号を無線周波数帯信号に変換するように構成されている。また、送受信部２３は、アンプ部２４からの無線周波数帯信号をベースバンド信号に変換するように構成されている。【００８１】  アンプ部２４は、送受信部２３からの無線周波数帯信号を増幅して、送受信アンテナ２５を介して送信するように構成されている。また、アンプ部２４は、送受信アンテナ２５において受信された信号を増幅して送受信部２３に送信するように構成されている。【００８２】  呼処理制御部２６は、無線回線制御局ＲＮＣとの間で、呼処理制御信号の送受信を行い、当該無線基地局ＮｏｄｅＢの各機能部の状態管理や、レイヤ３によるハードウエアリソース割り当て等の処理を行うように構成されている。【００８３】  図９は、ベースバンド信号処理部２２の機能ブロック図である。図９に示すように、ベースバンド信号処理部２���は、レイヤ１機能部２２１と、ＭＡＣ−ｅ機能部２２２とを具備している。【００８４】  図１０に示すように、レイヤ１機能部２２１は、ＤＰＤＣＨ逆拡散・ＲＡＫＥ合成部２２１ａと、ＤＰＤＣＨ復号部２２１ｂと、Ｅ−ＤＰＣＣＨ逆拡散・ＲＡＫＥ合成部２２１ｃと、Ｅ−ＤＰＣＣＨ復号部２２１ｃと、Ｅ−ＤＰＤＣＨ逆拡散・ＲＡＫＥ合成部２２１ｅと、バッファ２２１ｆと、再逆拡散部２２１ｇと、ＨＡＲＱバッファ２２１ｈと、誤り訂正復号部２２１ｉと、伝送チャネル符号化部２２１ｊと、物理マッピング部２２１ｋと、Ｅ−ＨＩＣＨ送信部２２１ｌと、Ｅ−ＡＧＣＨ送信部２２１ｍと、Ｅ−ＲＧＣＨ送信部２２１ｎと、ＤＰＣＨ送信部２２１ｏとを具備している。【００８５】  なお、これらの構成は、必ずしもハードウエアとして独立して存在している必要はない。すなわち、各構成が、合体していてもよいし、ソフトウエアのプロセスによって構成されていてもよい。【００８６】  ＤＰＤＣＨ逆拡散・ＲＡＫＥ合成部２２１ａは、ＤＰＤＣＨに対して逆拡散処理及びＲＡＫＥ合成処理を施すように構成されている。【００８７】  ＤＰＤＣＨ復号部２２１ｂは、ＤＰＤＣＨ逆拡散・ＲＡＫＥ合成部２２１ａからの出力に基づいて、移動局ＵＥから送信された上りユーザデータを復号して、ＤＣＨ（Ｄｅｄｉｃａｔｅｄ  Ｃｈａｎｎｅｌ）を介してＭＡＣ−ｅ機能部２２２に送信するように構成されている。ここで、上述した上りユーザデータには、移動局ＵＥから送信された共通パイロット信号の受信電力の測定報告（Ｍｅａｓｕｒｅｍｅｎｔ  ｒｅｐｏｒｔ）が含まれている。【００８８】  Ｅ−ＤＰＣＣＨ逆拡散・ＲＡＫＥ部２２１ｃは、Ｅ−ＤＰＣＣＨに対して逆拡散処理及びＲＡＫＥ合成処理を施すように構成されている。【００８９】  Ｅ−ＤＰＣＣＨ復号部２２１ｄは、Ｅ−ＤＰＣＣＨ逆拡散・ＲＡＫＥ部２２１ｃからの出力に基づいて、上りユーザデータの伝送速度を判定するためのＥ−ＴＦＣＩ（又は、Ｅ−ＴＦＲＩ：Ｅｎｈａｎｃｅｄ  Ｔｒａｎｓｐｏｒｔ  Ｆｏｒｍａｔ  ａｎｄ  Ｒｅｓｏｕｒｃｅ  Ｉｎｄｉｃａｔｏｒ）を復号して、ＭＡＣ−ｅ機能部２２２に送信するように構成されている。【００９０】  Ｅ−ＤＰＤＣＨ逆拡散・ＲＡＫＥ合成部２２１ｅは、Ｅ−ＤＰＤＣＨに対して、Ｅ−ＤＰＤＣＨが取り得る最高レートに対応する拡散率（最小の拡散率）及びマルチコード数を用いて逆拡散処理を施して、バッファ２２１ｆに蓄積するように構成されている。かかる拡散率及びマルチコード数を用いて逆拡散処理を行うことによって、移動局ＵＥが取り得る最高レート（ビットレート）まで受信できるようにリソースを確保することができる。【００９１】  再逆拡散部２２１ｇは、ＭＡＣ−ｅ機能部２２２から通知された拡散率及びマルチコード数を用いて、バッファ２２１ｆに記憶されているデータに対して再逆拡散処理を施して、ＨＡＲＱバッファ２２１ｈに蓄積するように構成されている。【００９２】  誤り訂正復号部２２１ｉは、ＭＡＣ−ｅ機能部２２２から通知された符号化レートに基づいて、バッファ２２１ｆに記憶されているデータに対して誤り訂正復号処理を施すことによって取得した上りユーザデータ（Ｅ−ＤＣＨ）をＭＡＣ−ｅ機能部２２２に送信するように��成されている。【００９３】  伝送チャネル符号化部２２１ｊは、ＭＡＣ−ｅ機能部２２２から受信した上りユーザデータ用のＡＣＫ／ＮＡＣＫ及びスケジューリング情報について、必要な符号化処理を施すように構成されている。【００９４】  物理チャネルマッピング部２２１ｋは、伝送チャネル符号化部２２１ｊからの上りユーザデータ用のＡＣＫ／ＮＡＣＫをＥ−ＨＩＣＨにマッピングし、伝送チャネル符号化部２２１ｊからのスケジューリング情報（絶対伝送速度）をＥ−ＡＧＣＨにマッピングし、伝送チャネル符号化部２２１ｊからのスケジューリング情報（相対伝送速度）をＥ−ＲＧＣＨにマッピングするように構成されている。【００９５】  Ｅ−ＨＩＣＨ送信部２２１ｌは、上述のＥ−ＨＩＣＨについての送信処理を行うように構成されている。【００９６】  Ｅ−ＡＧＣＨ送信部２２１ｍは、上述のＥ−ＡＧＣＨについての送信処理を行うように構成されている。【００９７】  また、Ｅ−ＲＧＣＨ送信部２２１ｎは、上述のＥ−ＲＧＣＨについての送信処理を行うように構成されている。【００９８】  ＤＰＣＨ送信部２２１ｏは、無線基地局ＮｏｄｅＢから送信される下り個別物理チャネル（ＤＰＤＣＨ：Ｄｅｄｉｃａｔｅｄ  Ｐｈｙｓｉｃａｌ  Ｃｈａｎｎｅｌ）についての送信処理を行うように構成されている。【００９９】  図１１に示すように、ＭＡＣ−ｅ機能部２２２は、ＨＡＲＱ処理部２２２ａと、受信処理命令部２２２ｂと、スケジューリング部２２２ｃと、多重化解除部２２２ｄとを具備している。【０１００】  ＨＡＲＱ処理部２２２ａは、レイヤ１機能部２２１から受信した上りユーザデータ（Ｅ−ＤＣＨ）及びＨＡＲＱ情報を受信して、当該上りユーザデータ（Ｅ−ＤＣＨ）についてのＨＡＲＱ処理を行うように構成されている。【０１０１】  また、ＨＡＲＱ処理部２２２ａは、当該上りユーザデータ（Ｅ−ＤＣＨ）についての受信処理結果を示すＡＣＫ／ＮＡＣＫ（上りユーザデータ用）をレイヤ１機能部２２１に通知するように構成されている。また、ＨＡＲＱ処理部２２２ａは、プロセスごとのＡＣＫ／ＮＡＣＫ（上りユーザデータ用）をスケジューリング部２２２ｃに通知するように構成されている。【０１０２】  受信処理命令部２２２ｂは、レイヤ１機能部２２１のＥ−ＤＰＣＣＨ復号部２２１ｂから受信したＴＴＩごとのＥ−ＴＦＣＩによって特定された各移動局ＵＥのトランスポートフォーマットに係る拡散率及びマルチコード数を再逆拡散部２２１ｅ及びＨＡＲＱバッファ２２１ｆに通知し、符号化レートを誤り訂正復号部２２１ｇに通知するように構成されている。【０１０３】  スケジューリング部２２２ｃは、レイヤ１機能部２２１のＥ−ＤＰＣＣＨ復号部２２１ｂから受信したＴＴＩごとのＥ−ＴＦＣＩや、ＨＡＲＱ処理部２２２ａから受信したプロセスごとのＡＣＫ／ＮＡＣＫや、干渉レベル等に基づいて、上述の上りユーザデータの絶対伝送速度又は相対伝送速度を変更するように構成されている。【０１０４】  なお、スケジューリング部２２２ｃは、スケジューリング情報として、かかる上りユーザデータの絶対伝送速度又は相対伝送速度を、ＤＣＨを介してレイヤ１機能部２２１に通知するように構成されている。【０１０５】  多重化解除部２２２��は、ＨＡＲＱ処理部２２２ａから受信した上りユーザデータ（Ｅ−ＤＣＨ及びＤＣＨ）に対して多重化解除処理を施すことによって取得した上りユーザデータをＨＷＹインターフェース２１に送信するように構成されている。また、かかる上りユーザデータには、移動局ＵＥから送信された共通パイロット信号の受信電力の測定報告（Ｍｅａｓｕｒｅｍｅｎｔ  ｒｅｐｏｒｔ）が含まれている。【０１０６】  本実施形態に係る無線回線制御局ＲＮＣは、無線基地局ＮｏｄｅＢの上位に位置する装置であり、無線基地局ＮｏｄｅＢと移動局ＵＥとの間の無線通信を制御するように構成されている。【０１０７】  図１２に示すように、本実施形態に係る無線回線制御局ＲＮＣは、交換局インターフェース３１と、ＬＬＣレイヤ処理部３２と、ＭＡＣレイヤ処理部３３と、メディア信号処理部３４と、無線基地局インターフェース３５と、呼処理制御部３６とを具備している。【０１０８】  交換局インターフェース３１は、交換局１とのインターフェースである。交換局インターフェース３１は、交換局１から送信された下りリンク信号をＬＬＣレイヤ処理部３２に転送し、ＬＬＣレイヤ処理部３２から送信された上りリンク信号を交換局１に転送するように構成されている。【０１０９】  ＬＬＣレイヤ処理部３２は、シーケンスパターン番号等のヘッダ又はトレーラの合成処理等のＬＬＣ（論理リンク制御：Ｌｏｇｉｃａｌ  Ｌｉｎｋ  Ｃｏｎｔｒｏｌ）サブレイヤ処理を施すように構成されている。ＬＬＣレイヤ処理部３２は、ＬＬＣサブレイヤ処理を施した後、上りリンク信号については交換局インターフェース３１に送信し、下りリンク信号についてはＭＡＣレイヤ処理部３３に送信するように構成されている。【０１１０】  ＭＡＣレイヤ処理部３３は、優先制御処理やヘッダ付与処理等のＭＡＣレイヤ処理を施すように構成されている。ＭＡＣレイヤ処理部３３は、ＭＡＣレイヤ処理を施した後、上りリンク信号についてはＬＬＣレイヤ処理部３２に送信し、下りリンク信号については無線基地局インターフェース３５（又は、メディア信号処理部３４）に送信するように構成されている。【０１１１】  メディア信号処理部３４は、音声信号やリアルタイムの画像信号に対して、メディア信号処理を施すように構成されている。メディア信号処理部３４は、メディア信号処理を施した後、上りリンク信号についてはＭＡＣレイヤ処理部３３に送信し、下りリンク信号については無線基地局インターフェース３５に送信するように構成されている。【０１１２】  無線基地局インターフェース３５は、無線基地局ＮｏｄｅＢとのインターフェースである。無線基地局インターフェース３５は、無線基地局ＮｏｄｅＢから送信された上りリンク信号をＭＡＣレイヤ処理部３３（又は、メディア信号処理部３４）に転送し、ＭＡＣレイヤ処理部３３（又は、メディア信号処理部３４）から送信された下りリンク信号を無線基地局ＮｏｄｅＢに転送するように構成されている。【０１１３】  呼処理制御部３６は、無線リソース管理処理や、レイヤ３シグナリングによるチャネルの設定及び開放処理等を施すように構成されている。ここで、無線リソース管理には、呼受付制御やハンドオーバー制御等が含まれる。【０１１４】  ま��、呼処理制御部３６は、上述の測定報告等に基づいて、移動局ＵＥがソフトハンドオーバー状態と非ソフトハンドオーバー状態との間で遷移することを決定するように構成されている。【０１１５】  また、呼処理制御部３６は、上述の遷移の決定に基づいて、上りユーザデータの送信確認チャネルを復号するための送信確認チャネル復号情報を移動局ＵＥへ送信するように構成されている。
（本発明の第１の実施形態に係る送信電力制御方法）
以下、図１３を参照して、本実施形態に係る送信電力制御方法について説明する。具体的には、本実施形態に係る送信電力制御方法により、移動局ＵＥが非ＳＨＯ状態からＳＨＯ状態に遷移した場合について説明する。【０１１６】  なお、本発明の実施形態に係る送信電力制御方法は、上述した場合だけでなく条件により、アクティブセットが変更され、移動局ＵＥが無線リンクを設定しているセルが変更してもよいし、セルの数が減少してもよい。【０１１７】  なお、本実施形態に係る無線基地局ＮｏｄｅＢは、一つ又は複数のセルを管理するように構成されている。また、本実施形態に係る当該セルは、無線基地局ＮｏｄｅＢの機能を具備する場合を例に説明する。【０１１８】  ここで、本実施形態における無線リンクは、移動局ＵＥとセルとのＤＰＣＨ又はＥ−ＤＰＤＣＨを示す。よって、本実施形態では、移動局ＵＥが、一つのセルと無線リンクを設定した場合を非ＳＨＯ状態とし、複数のセルと無線リンクを設定した場合をＳＨＯ状態として以下に示す。【０１１９】  また、本実施形態におけるセル＃１０及びセル＃２０は、同一の無線基地局ＮｏｄｅＢに管理されるように構成されていてもよいし、セル＃１０とセル＃２０とで、異なる無線基地局ＮｏｄｅＢによって管理されるように構成されていてもよい。【０１２０】  図１３に示すように、ステップＳ１００１において、移動局ＵＥは、＃１０を介して、上りユーザデータを送信するためのデータコネクション（Ｅ−ＤＰＤＣＨ）を無線回線制御局ＲＮＣと確立している。【０１２１】  ステップＳ１００２において、移動局ＵＥは、セル＃２０からの共通パイロット信号の受信電力が、所定の値以上になった場合、測定報告（Ｍｅａｓｕｒｅｍｅｎｔ  ｒｅｐｏｒｔ）を無線回線制御局ＲＮＣに送信する。【０１２２】  そして、無線回線制御局ＲＮＣは、ステップＳ１００３において、セル＃２０に対して、セル＃２０と移動局ＵＥとの間の上り無線リンクの同期を要求するためのＳＨＯ設定要求を送信すると共に、ステップＳ１００４において、移動局ＵＥに対して、セル＃２０と移動局ＵＥとの間の下り無線リンクの同期を要求するためのＳＨＯ設定要求を送信する。【０１２３】  具体的には、無線回線制御局ＲＮＣは、セル＃２０に対して、上り無線リンクにおけるチャネル構成を識別するチャネライゼーションコードと、移動局ＵＥを識別するスクランブリングコードと上りユーザデータの送達確認チャネルを復号するための送達確認チャネル復号情報とを含むＳＨＯ設定要求を送信する。【０１２４】  また、無線回線制御局ＲＮＣは、移動局ＵＥに対して、移動局ＵＥに対して、下り無線リンクにおけるチャネル構成を識別するチャネライゼーションコードと、セル＃２０を識別するスクランブリングコードと、上りユーザデータの送達確認チャネルを復号するための送達確認チャネル復号情報とを含むＳＨＯ設定要求を送信する。【０１２５】  ステップＳ１００５において、セル＃２０が、上り無線リンクの同期が確立されたことを通知するためのＳＨＯ設定応答を無線回線制御局ＲＮＣに送信すると共に、ステップＳ１００６において、移動局ＵＥが、下り無線リンクの同期が確立されたことを通知するためのＳＨＯ設定応答を送信す��。【０１２６】  具体的には、セル＃２０は、無線回線制御局ＲＮＣから受信したチャネライゼーションコードとスクランブリングコードとを用いて、上り無線リンクにおける移動局ＵＥから送信されているチャネルを検出することによって、セル＃２０と移動局ＵＥとの間の上り無線リンクの同期を確立する。【０１２７】  また、移動局ＵＥは、無線回線制御局ＲＮＣから受信したチャネライゼーションコードとスクランブリングコードとを用いて、下り無線リンクにおけるセル＃２０からのチャネルを検出することによって、セル＃２０と移動局ＵＥとの間の下り無線リンクの同期を確立する。【０１２８】  ステップＳ１００７において、移動局ＵＥが、ソフトハンドオーバー状態となる。【０１２９】  このように、ＳＨＯ状態になる前に無線回線制御局ＲＮＣは、移動局ＵＥ及び無線基地局ＮｏｄｅＢに相対伝送速度制御チャネルを復号するための相対伝送速度制御チャネル復号情報を通知する。【０１３０】（本発明の第１の実施形態に係る送信電力制御方法の作用・効果）
以上説明したように、本発明に係る送信電力制御方法及び無線回線制御局ＲＮＣによれば、ＳＨＯ状態になる前に無線回線制御局ＲＮＣは、移動局ＵＥに上りユーザデータの送達確認チャネルを復号するための送達確認チャネル復号情報を通知することにより、アクティブセットが更新された場合であっても、ユーザデータを高速に送信することが可能なユーザデータの送信方法及び無線回線制御局を提供することを目的とする。
【図面の簡単な説明】
【０１３１】
【図１】本発明の第１の実施形態に係る移動通信システムの全体構成図である。
【図２】本発明の第１の実施形態に係る移動局の機能ブロック図である。
【図３】本発明の第１の実施形態に係る移動局のベースバンド信号処理部の機能ブロック図である。
【図４】本発明の第１の実施形態に係る移動局のベースバンド信号処理部の機能を説明するための図である。
【図５】本発明の第１の実施形態に係る移動局のベースバンド信号処理部におけるＭＡＣ−ｅ機能部の機能ブロック図である
【図６】本発明の第１の実施形態に係る移動局のベースバンド信号処理部におけるレイヤ１機能部の機能ブロック図である。
【図７】本発明の第１の実施形態に係る移動局のベースバンド信号処理部におけるレイヤ１機能部の機能を説明するための図である。
【図８】本発明の第１の実施形態に係る無線基地局の機能ブロック図である。
【図９】本発明の第１の実施形態に係る無線基地局のベースバンド信号処理部の機能ブロック図である。
【図１０】本発明の第１の実施形態に係る無線基地局のベースバンド信号処理部におけるレイヤ１機能部の機能ブロック図である。
【図１１】本発明の第１の実施形態に係る無線基地局のベースバンド信号処理部におけるＭＡＣ−ｅ機能部の機能ブロック図である。
【図１２】本発明の第１の実施形態に係る無線回線制御局の機能ブロック図である。
【図１３】本発明の第１の実施形態に係る移動通信システムにおける伝送速度制御方法の動作を示すシーケンスパターン図である。
【図１４】一般的な移動通信システムの全体構成図である。
【図１５】従来技術に係る移動通信システムにおいて上りユーザデータの伝送速度を制御する方法を説明するための図である。
【図１６】従来技術に係る移動通信システムにおける伝送速度制御方法の動作を示すシーケンスパターン図である。
【符号の説明】
【０１３２】１…交換局、ＵＥ…移動局、１１…バスインターフェース、１２…呼処理制御部、１３…ベースバンド信号処理部、１３１…上位レイヤ機能部、１３２…ＲＬＣ機能部、１３３…ＭＡＣ−ｄ機能部、１３４…ＭＡＣ−ｅ機能部、１３４ａ…多重部、１３４ｂ…Ｅ−ＴＦＣ選択部、１３４ｃ…ＨＡＲＱ処理部、１３５…レイヤ１機能部、１３５ａ…伝送チャネル符号化部、１３５ｂ…物理チャネルマッピング部、１３５ｃ…ＤＰＤＣＨ送信部、１３５ｄ…Ｅ−ＤＰＤＣＨ送信部、１３５ｅ…Ｅ−ＤＰＣＣＨ送信部、１３５ｆ…Ｅ−ＨＩＣＨ受信部、１３５ｇ…Ｅ−ＲＧＣＨ受信部、１３５ｈ…Ｅ−ＡＧＣＨ受信部、１３５ｉ…ＤＰＣＨ受信部、１３５ｊ…物理チャネルデマッピング部、１４…送受信部、１５…送受信アンテナ、ＮｏｄｅＢ…無線基地局、２１…ＨＷＹインターフェース、２２…ベースバンド信号処理部、２２１…レイヤ１機能部、２２１ａ…ＤＰＤＣＨ逆拡散・ＲＡＫＥ合成部、２２１ｂ…ＤＰＤＣＨ復号部、２２１ｃ…Ｅ−ＤＰＣＣＨ逆拡散・ＲＡＫＥ合成部、２２１ｄ…Ｅ−ＤＰＣＣＨ復号部、２２１ｅ…Ｅ−ＤＰＤＣＨ逆拡散・ＲＡＫＥ合成部、２２１ｆ…バッファ、２２１ｇ…再逆拡散部、２２１ｈ…ＨＡＲＱバッファ、２２１ｉ…誤り訂正復号部、２２１ｊ…伝送チャネル符号化部、２２１ｋ…物理チャネルマッピング部、２２１ｌ…Ｅ−ＨＩＣＨ送信部、２２１ｍ…Ｅ−ＡＧＣＨ送信部、２２１ｎ…Ｅ−ＲＧＣＨ送信部、２２１ｏ…ＤＰＣＨ送信部、２２２…ＭＡＣ−ｅ機能部、２２２ａ…ＨＡＲＱ処理部、２２２ｂ…受信処理命令部、２２２ｃ…スケジューリング部、２２２ｄ…多重化解除部、２２２ｅ…多重化部、２３…送受信部、２４…アンプ部、２５…送受信アンテナ、２６…呼処理制御部、ＲＮＣ…無線回線制御局、３１…交換局インターフェース、３２…ＬＬＣレイヤ機能部、３３…ＭＡＣレイヤ機能部、３４…メディア信号処理部、３５…無線基地局インターフェース、３６…呼処理制御部
【図１】
0004789557.tif 000002
【図２】
0004789557.tif 000003
【図３】
0004789557.tif 000004
【図４】
0004789557.tif 000005
【図５】
0004789557.tif 000006
【図６】
0004789557.tif 000007
【図７】
0004789557.tif 000008
【図８】
0004789557.tif 000009
【図９】
0004789557.tif 000010
【図１０】
0004789557.tif 000011
【図１１】
0004789557.tif 000012
【図１２】
0004789557.tif 000013
【図１３】
0004789557.tif 000014
【図１４】
0004789557.tif 000015
【図１５】
0004789557.tif 000016
【図１６】
0004789557.tif 000017